(57)【要約】      （修正有）【課題】使用者は、液晶テレビを視聴しようとする場合に、昇降装置を用いて自動的に液晶テレビの高さを調節でき、液晶テレビを視聴しない時には、液晶テレビを外部の衝撃から安全に保護することができるように収納できる液晶テレビ収納ケースを提供する。【解決手段】液晶テレビ収納ケースは、上部に形成された引出口、前記引出口を開閉するために前記引出口にちょうつがいで連結されたドア、液晶テレビを固定して搭載するフレームベース、前記フレームベースを上下に移動するためのフレーム昇降装置、フレームベースに搭載されている前記液晶テレビが所望の位置に固定されるように、液晶テレビの高さを調節するコントローラー、前記コントローラーの制御信号によって駆動するモータを備えた駆動装置、及び液晶テレビに電源が入ったときに液晶テレビの入力信号を感知するセンサーを含有してなる。【選択図】図１
0003121914.tif 000002
【実用新案登録請求の範囲】
【請求項１】
液晶テレビが上に移動をする時は開き、液晶テレビが液晶テレビ収納ケースに収納された時は閉まるように、液晶テレビ収納ケースの上部に形成された引出口；
前記引出口を開閉するために前記引出口にちょうつがいで連結されたドア；
液晶テレビを固定して搭載するフレームベース；
前記フレームベースを上下に移動するためのフレーム昇降装置；
フレームベースに搭載されている前記液晶テレビが所望の位置に固定されるように、液晶テレビの高さを調節するコントローラー；
前記コントローラーの制御信号によって駆動するモータを備えた駆動装置；及び
液晶テレビに電源が入ったときに液晶テレビの入力信号を感知するセンサー；
を含有してなる、液晶テレビ収納ケース。
【請求項２】
前記フレーム昇降装置が、前記フレームベースに固定して結合され、フレームベースが上下に移動するように相互に交差して接合し、連結棒の上下移動によって基礎に対する液晶テレビの高さを調節する、複数の連結棒ユニットを備えている、請求項１に記載の液晶テレビ収納ケース。
【請求項３】
前記フレームベースの底部と前記収納ケースの内側面との間に位置し、スプリングによって回転運動するスクリーンを更に含有してなる、請求項１に記載の液晶テレビ収納ケース。
【請求項４】
使用者が液晶テレビを所望の高さに固定できるように駆動装置を自動的に操作できるようにした、リモートコントローラーを更に含有してなる、請求項１に記載の液晶テレビ収納ケース。
【請求項５】
液晶テレビ収納ケースを容易に移動できるように、前記液晶テレビ収納ケースの下部に１つ以上の車輪が付いている、請求項１に記載の液晶テレビ収納ケース。
【請求項６】
使用者が前記フレームベースの上下移動を必要とする時に、リモートコントローラーを用いて信号を入力できるように駆動回路と連結している、リモートコントローラーを更に含有してなる、請求項１に記載の液晶テレビ収納ケース。
【請求項７】
前記フレーム昇降装置が、液晶テレビを保持する一対の固定部を備えている、請求項１に記載の液晶テレビ収納ケース。
【請求項８】
前記液晶テレビ収納ケースの内部に具備され、静電気を防止できるブラシを更に含有してなる、請求項１に記載の液晶テレビ収納ケース。
【請求項９】
液晶テレビが上に移動をする時は開き、液晶テレビが液晶テレビ収納ケースに収納された時は閉まるように、液晶テレビ収納ケースの上部に形成された引出口；
前記引出口を開閉するために前記引出口にちょうつがいで連結されたドア；
前記液晶テレビを固定して搭載するフレームベース；
フレームベースを上下させるためにフレームベースに取り付けられて、ナット、ナットがスクリューシャフトに沿って上下できるようにナットに取り付けたスクリューシャフト、及び第１スクリューシャフトを正方向又は逆方向に回転させる第１モーターを具備している、スクリュー装置を備えている、前記フレームベースを上下に移動させるためのフレーム昇降装置；
フレームベースに搭載されている前記液晶テレビが所望の位置に固定されるように、液晶テレビの高さを調節するコントローラー；及び
液晶テレビに電源が入ったときに液晶テレビの入力信号を感知するセンサー；
を含有してなる、液晶テレビ収納ケース。
【請求項１０】
液晶テレビが上に移動をする時は開き、液晶テレビが液晶テレビ収納ケースに収納された時は閉まるように、液晶テレビ収納ケースの上部に形成された引出口；
前記引出口を開閉するために前記引出口にちょうつがいで連結されたドア；
液晶テレビを固定して搭載するフレームベース；
フレームベースに搭載されている前記液晶テレビが所望の位置に固定されるように、液晶テレビの高さを調節するコントローラー；
複数の折畳式胴体、水圧シリンダー及び折畳式胴体を操作する作動ポンプを有する折畳式多段昇降装置を具備し、使用者がコントローラーのボタンを操作すると、折畳式胴体が伸縮自在運動を行う、前記フレームベースを上下移動するフレーム昇降装置；及び
液晶テレビに電源が入ったときに液晶テレビの入力信号を感知するセンサー；
を含有してなる、液晶テレビ収納ケース。
【考案の詳細な説明】
【技術分野】
【０００１】
本考案は、液晶テレビ収納ケースに関する。より詳しくは、本考案は、使用者が液晶テレビを視聴しようとする場合には、使用者が昇降装置を用いて自動的にテレビの高さを調節でき、使用者が液晶テレビを視聴しない時には、液晶テレビを外部の衝撃から保護することができるように液晶テレビ収納ケースに収納でき、そして使用者が自由に液晶テレビ収納ケースを移動できるように車輪を具備した、液晶テレビ収納ケースに関する。
【背景技術】
【０００２】
最近、平板型の液晶テレビ、プラズマテレビ及びプロジェクションテレビのような、小型化及び壁面装飾機能を有するカラー液晶テレビが市販されるにつれて、これらの平板型の液晶テレビ、プラズマテレビ及びプロジェクションテレビの大きさに対応する大きさを有する液晶テレビ据置台が、平板型の液晶テレビ、プラズマテレビ及びプロジェクションテレビを搭載するために提供されている。
【０００３】
しかしながら、液晶テレビ据置台のフレームは、液晶テレビを固定するために外部に露出しているので、液晶テレビ据置台の美的な外観が損なわれる。さらに、液晶テレビ据置台は比較的大きな空間を占めるため、液晶テレビ据置台は空間活用の点で効率が悪い。
【０００４】
それだけでなく、液晶テレビ据置台は液晶テレビを備え付ける高さを所定の高さに固定するので、一部の視聴者は液晶テレビを目の高さで視聴できない。言い換えると、液晶テレビはこのような液晶テレビ据置台に一定の高さで搭載されているため、視聴者が椅子なしで又はソファーに座らずに、居間又は主寝室の床に座って視聴する場合には、視聴者は不自然に頭を持ち上げなけらばならない。視聴者が長時間この姿勢で液晶テレビを視聴すると、視聴者の骨格が変形してしまうかもしれない。
【０００５】
また、視聴者が液晶テレビを視聴していない時に、液晶テレビの周囲でおもちゃ遊びをしたり飛び跳ねている子供達が、液晶テレビの表面を損傷させる、液晶テレビに衝撃を加えるかもしれない。さらに、液晶テレビの位置を変更しようとする場合、液晶テレビが重いために使用者は容易に液晶テレビを移動させることができない。
【考案の開示】
【考案が解決しようとする課題】
【０００６】
従って、本考案は従来技術の上記問題点を解決し、そして本考案の目的は、使用者が液晶テレビを視聴しようとする場合には、使用者が昇降装置を用いて自動的にテレビの高さを調節でき、使用者が液晶テレビを視聴しない時には、液晶テレビを外部の衝撃から保護することができるように液晶テレビ収納ケースに収納でき、そして液晶テレビ収納ケースを装飾用の家具又は棚として使用でき、そして液晶テレビに車輪を設置して使用者が自由に液晶テレビ収納ケースを移動できるようにした、液晶テレビ収納ケースを提供することである。
【課題を解決するための手段】
【０００７】
前記の目的を達成するために、本考案によれば、
液晶テレビが上に移動をする時は開き、液晶テレビが液晶テレビ収納ケースに収納された時は閉まるように、液晶テレビ収納ケースの上部に形成された引出口；前記引出口を開閉するために前記引出口にちょうつがいで連結されたドア；液晶テレビを固定して搭載するフレームベース；前記フレームベースを上下に移動するためのフレーム昇降装置；フレームベースに搭載されている前記液晶テレビが所望の位置に固定されるように、液晶テレビの高さを調節するコントローラー；前記コントローラーの制御信号によって駆動するモータを備えた駆動装置；及び液晶テレビに電源が入ったときに液晶テレビの入力信号を感知するセンサー；
を含有してなる液晶テレビ収納ケースが提供される。
【０００８】
本考案によると、液晶テレビ収納ケースは、その内部に液晶テレビを安全に保管でき、容易に移動できる。その上、使用者は液晶テレビを手で移動するのではなく、リモートコントローラーを使用するか、又はコントトローラーのスィッチボタンを操作して液晶テレビの高さ容易に調節することができる。さらに、液晶テレビを固定するためのフレームベースが外部に露出していないので、液晶テレビ収納ケースの外観上の美しさが得られ、空間活用度が改善される。
【考案の効果】
【０００９】
上記のように、本考案にによれば、使用者が液晶テレビを視聴していないときには、液晶テレビは外部衝撃から保護できるように液晶テレビ収納ケースに保管できる。また、視聴者が液晶テレビを視聴したいときには、視聴者は昇降装置を用いて、液晶テレビの高さを自動的に調節することができる。さらに、視聴者は液晶テレビ収納ケースを装飾用の家具又は棚として使用することができる。さらに、液晶テレビ収納ケースには車輪が設置されているので、使用者は液晶テレビ収納ケースを自由に移動することができ、空間活用性が改善される。この液晶テレビ収納ケースに所定の色でペンキを塗ると、室内装飾の１つとして役立てることができる。
【００１０】
また、液晶テレビが液晶テレビ収納ケースに収納されると、液晶テレビに異物又はホコリが入らないようにドアが閉められる。従って、液晶テレビを長時間清潔に保管することができる。
【考案を実施するための最良の形態】
【００１１】
以下、図１乃至１１を参照して本考案を説明する。
【００１２】
図１は本考案の実施形態１に係る液晶テレビ収納ケースを示す斜視図であり、図２は本考案の実施形態１に係る液晶テレビ収納ケースから引き出された液晶テレビを示す斜視図であり、図３は本考案の実施形態１に係る液晶テレビ収納ケースの連結棒を示す正面斜視図であり、図４は本考案の実施形態１に係る液晶テレビ収納ケースの連結棒を示す側断面図であり、図５は本考案の実施形態１に係る液晶テレビ収納ケースに内蔵された液晶テレビの正面を示す断面図であり、図６は本考案の実施形態１に係る液晶テレビ収納ケースに収納された液晶テレビの背面を示す断面図であり、図７は本考案の実施形態１に係る液晶テレビ収納ケースから引出された液晶テレビの背面を示す断面図である。
【００１３】
（実施形態１）
以下に、本考案の実施形態１に係る液晶テレビ収納ケースについて添付図面を参照して説明する。以下の記載において、同一な構成要素には、たとえこれらが他の図面上に示されても、同一の参照番号が用いられる。
【００１４】
本考案に係る液晶テレビ収納ケースは、フレームベース２０に固定して結合され、フレームベース２０が上下に移動するように相互に交差して接合している、複数の連結棒ユニット３１を有する昇降装置３０を備えている。従って、基礎に対する液晶テレビ１００の高さはこの連結棒３１の上下運動によって調節することができる。
【００１５】
本考案によると、前記液晶テレビは、小型化及び壁面装飾機能を有する平板型の液晶テレビ、プラズマテレビ又はプロジェクションテレビを包含する。また、本考案は、平板型の液晶テレビ、プラズマテレビ又はプロジェクションテレビをその中に設置する液晶テレビ収納ケースを提供する。
【００１６】
本考案に係る液晶テレビ収納ケース１０は、スクリーン８０を備えており、これは前記フレームベース２０の底面と前記液晶テレビ収納ケース１０の内側面の間に位置し、スプリングによって回転運動を行う。
【００１７】
スクリーン８０の一端は液晶テレビ収納ケース１０底壁に結合しており、スクリーン８０の他端はフレームベース２０の底面に結合している。従って、フレームベース２０が上昇すると、スクリーン８０がフレームベース２０の移動によって引き出されて、外に露出した昇降装置３０を覆う。このときに、スクリーン８０に張力を与えるように、フレーム昇降装置の一端にスプリングが備えられている。従って、スクリーン８０はフレームベース２０の下部から液晶テレビ収納ケース１０の上部までの所定の範囲を覆うようにしっかりと引き出されるので、フレームベース２０及びフレーム昇降装置３０は外部へ露出しない。従って、液晶テレビ収納ケースの外観を改善することができる。
【００１８】
駆動装置５０は、前記コントローラー４０の制御信号によって駆動するモータ５１を備えている。駆動装置５０はフレーム昇降装置３０を駆動する。フレーム昇降装置３０の駆動により、液晶テレビ収納ケース１０に収納されている液晶テレビ１００がドア１２を通過して上昇又は下降する。このとき、視聴者はコントローラー４０を用いて、視聴者の目の高さに合わせて、液晶テレビ１００の高さを調節することができる。
【００１９】
前記ドア１２が閉じると、液晶テレビに異質物又はホコリが侵入しないで、液晶テレビが清潔に保つように、液晶テレビ収納ケース１０が外部から遮蔽される。また、前記ドア１２は閉じたとき水平に維持できるので、使用者はアクセサリー、時計などの小品をドア１２の上面に置くことができる。
【００２０】
前記コントローラー４０は、液晶テレビ収納ケース１０内に備えられる。使用者は液晶テレビ１００の高さをコントローラー４０を用いて調節することができる。このために、使用者が液晶テレビジョンの高さを手動で調節できるように、コントローラー４０はボタンスイッチ４２を備えている。また、本考案に係る液晶テレビ収納ケース１０はリモートコントローラー６０を備えており、それによって使用者が液晶テレビ１００を所定の高さに固定するように前記駆動装置５０を操作することができる。
【００２１】
また、使用者は、液晶テレビ１００の高さを使用者の目の高さに合わせた望ましい高さに固定されるように、コントローラー４０を用いて、駆動装置５０を操作することができる。
【００２２】
液晶テレビ収納ケース１０は、使用者が液晶テレビ収納ケース１０を容易に移動することができるように、下部の角に一つ以上の車輪１３を設置している。例えば、使用者は液晶テレビが液晶テレビ収納ケース１０に収納された状態で、液晶テレビ収納ケース１０を所望の場所に移動することができる。
【００２３】
本考案によると、使用者は液晶テレビ１００を液晶テレビ収納ケース１０の上部にあるドア１２を通過して上昇又は下降させるために、駆動装置５０を手動で又は自動的に操作することができる。
【００２４】
従って、使用者が液晶テレビ１００を視聴しないときは、液晶テレビ１００を液晶テレビ収納ケース１００の中に収納できるように、使用者は駆動装置５０を操作してフレームベース２０を下降させる。この状態で、使用者は液晶テレビ収納ケース１０を居間や主寝室に保管することができる。
【００２５】
また、本考案はセンサー４１を包含しており、これは使用者がリモートコントローラー６０又は電源スイッチを用いて電源信号を入力したときに、電源信号を感知して駆動装置５０を操作するためにコントローラー４０と連結してしている。センサー４１が駆動装置５０を操作すると、フレームベース２０がドア１２を通過して上昇できるように、自動的にドア１２が開く。
【００２６】
前記フレーム昇降装置３０は液晶テレビ１００を保持するために一対の固定部２１、２１’を備えている。
【００２７】
また、静電気を防止できるブラシが液晶テレビ収納ケース１０の内部に備えられている。
【００２８】
前記ブラシは液晶テレビ１００が上昇したり液晶テレビ収納ケース１０に下降するときに、異質物が付着していると液晶テレビ１００の液晶モニターの表面から、ホコリのような、異質物を除去することができる。従って、使用者が手で液晶モニターを拭かなくても液晶テレビ１００の液晶モニターは清潔な状態に維持できる。
【００２９】
（実施形態２）
次に、本考案の実施形態２に係る液晶テレビ収納ケースを説明する。
【００３０】
図８は本考案の実施形態２に係る液晶テレビ収納ケースから引出された液晶テレビを示す断面図であり、図９は本考案の実施形態２に係る液晶テレビ収納ケースを示す側断面図である。本考案の実施形態２は本考案の実施形態１を多少変更したものである。以下の説明において、実施形態１と同一の構成部分に対しては同一の参照番号が与えられ、その説明を省略する。図８及び９は、それぞれフレームベースを上昇させた場合と下降させた場合の液晶テレビ収納ケースを示す。
【００３１】
本考案の実施形態２によれば、フレームベース２０は、スクリューによって規則的に上昇及び液晶テレビ収納ケース１０へ下降する。
【００３２】
図８に示すように、液晶テレビ収納ケースのフレーム昇降装置３０は、フレームベース２０を上下に移動するためにフレームベース２０に固定されているスクリュー装置３２を具備している。スクリュー装置３２は、ナット３２ａ、ナット３２ａがスクリューシャフト３２ｂに沿って上下できるようにナットに取り付けたスクリューシャフト３２ｂ、及び第１スクリューシャフト３２ｂを正方向又は逆方向に回転させる第１モーター３２ｃを具備している。
【００３３】
また、本考案の実施形態２によれば、フレームベース２０がスクリュー装置３２によって上下に移動するときに、フレームベース２０の移動範囲を限定することができる。
【００３４】
図８及び９に示されているように、前記フレーム昇降装置３０は、フレームベース２０を上下移動させるために、図１の連結棒ユニットの代わりに、スクリュー装置を採用している。すなわち、スクリューシャフト３２ｂが第１モータ３２ｃによって回転すると、フレームベース２０に固定されているナット３２ａがスクリューシャフト３２ｂに沿って上下移動して、フレームベース２０もスクリューシャフト３２ｂに沿って上下移動する。
【００３５】
したがって、使用者が前もってフレームベース２０の高さを所望の高さに設定しておくと、コントローラー４０はフレームベース２０が所望の高さに合致するまで上昇するようにスクリュー装置を操作し、それによって使用者は液晶テレビを所望の高さに位置を決めて、液晶テレビを視聴することができる。
【００３６】
（実施形態３）
次に、本考案の実施形態３に係る液晶テレビ収納ケースを説明する。
【００３７】
図１０は本考案の実施形態３に係る液晶テレビ収納ケースから引出された液晶テレビを示す断面図であり、図１１は本考案の実施形態３に係る液晶テレビ収納ケースの側断面図である。以下の説明において、実施形態１及び２と同一の構成部分に対しては同一の参照番号が与えられ、その説明を省略する。図１０及び１１は、それぞれフレームベースを折畳式多段昇降装置３３により上昇させた場合と下降させた場合の、本考案の実施形態３に係る液晶テレビ収納ケースを示す。
【００３８】
本考案の実施形態３によれば、フレーム昇降装置３０は折畳式胴体３３ａ、水圧シリンダー３３ｂ及び作動ポンプ３３ｃを有する折畳式多段昇降構３３を備えている。フレームベース２０は折畳式多段昇降装置３３によって直線的に上下移動する。フレームベースが本考案の実施形態１及び２と同じように上下移動するが、本考案の実施形態３は、本考案の実施形態１及び２とは折畳式多段昇降装置３３を利用する点で異なっている。
【００３９】
図１０及び１１に示すように、本考案の実施形態３によれば、フレームベース２０の下部に結合している折畳式胴体３３ａに作動ポンプ３３ｃによって流圧がかかって、折畳式胴体３３ａが膨張又は縮小する。従って、フレームベース２０が上下に移動する。一対の折畳式胴体３３ａをフレームベースの下部に結合させて一対の作動ポンプ３３ｃによって作動させるようすることが好ましい。使用者はコントローラー４０のボタンを操作して、折畳式多段昇降装置３３を容易に作動させることができる。
【００４０】
本考案の実施形態３によれば、使用者は液晶テレビ収納ケースの内部空間を効率的に使用することができる。また、コントローラー４０が液晶テレビ収納ケースの前面に設置されているので、使用者は容易にコントローラーを操作できる。
【００４１】
本考案の好ましい実施形態が、実例として記載されているが、当業者は、添付した請求範囲に開示したような本考案の範囲及び精神を逸脱することなく、多様な修正、付加及び置換が可能であることを理解されたい。
【図面の簡単な説明】
【００４２】
【図１】本考案の実施形態１に係る液晶テレビ収納ケースを示す透視図である。
【図２】本考案の実施形態１に係る液晶テレビ収納ケースから引出された液晶テレビを示す透視図である。
【図３】本考案の実施形態１に係る液晶テレビ収納ケースの連結棒ユニットを示す正面図である。
【図４】本考案の実施形態１に係る液晶テレビ収納ケースの連結棒ユニットを示す側断面図である。
【図５】本考案の実施形態１に係る液晶テレビ収納ケースに収納された液晶テレビを示す断面図である。
【図６】本考案の実施形態１に係る液晶テレビ収納ケースに収納された液晶テレビの背面を示す断面図である。
【図７】本考案の実施形態１に係る液晶テレビ収納ケースから引出された液晶テレビの背面を示す断面図である。
【図８】本考案の実施形態２に係る液晶テレビから引出された液晶テレビを示す断面図である。
【図９】本考案の実施形態２に係る液晶テレビ収納ケースを示す側断面図である。
【図１０】本考案の実施形態３に係る液晶テレビ収納ケースから引出された液晶テレビを示す断面図である。
【図１１】本考案の実施形態３に係る液晶テレビ収納ケースを示す側断面図である。
【符号の説明】
【００４３】
１０  収納ケース
２０  フレームベース
３０  フレーム昇降装置
３１  連結棒
３２  スクリュー昇降構
３３  折畳式多段昇降構
４０  コントローラー
４２  ボタンスイッチ
５０  駆動装置
６０  リモートコントローラー
７０  ブラシ
８０  スクリーン
【図１】
0003121914.tif 000003
【図２】
0003121914.tif 000004
【図３】
0003121914.tif 000005
【図４】
0003121914.tif 000006
【図５】
0003121914.tif 000007
【図６】
0003121914.tif 000008
【図７】
0003121914.tif 000009
【図８】
0003121914.tif 000010
【図９】
0003121914.tif 000011
【図１０】
0003121914.tif 000012
【図１１】
0003121914.tif 000013